(57)【要約】【課題】この発明は、制御盤を昇降体の昇降領域から外れた通常位置とかごの天井上部に登った作業者に接近する保守点検位置とをとるように昇降路内に設置し、保守点検作業性を向上できるエレベータ装置を得る。【解決手段】かご１が昇降路２内にカゴレール３に案内されて昇降自在に配設され、第１および第２取付腕１３Ａ、１３Ｂがカゴレール３に固着されて水平に延設され、取付柱１５が第２および第２取付腕１３Ａ、１３Ｂの延出端間に取り付けられ、制御盤２０がヒンジ１８により取付柱１５に回動可能に取り付けられている。そして、制御盤２０は、第１および第２取付腕１３Ａ、１３Ｂの延出方向の外側で壁面２ａに沿うように位置するかごの昇降と干渉しない通常位置と、壁面２ａと略直交し昇降路２内に突出する保守点検位置とをとる。【選択図】　　　　図２
2004091059.tif 000002
【特許請求の範囲】
【請求項１】
昇降路の壁面に沿って上下方向に延設されたカゴレールに案内されて昇降自在に配設されたかごと、
上記昇降路内に設けられている支持機構と、
上記かごの昇降と干渉しない通常位置と保守点検時に上記かごの天井上部に登った作業者に面する保守点検位置との間を移動可能に上記支持機構に支持され、エレベータの運転を制御する制御盤とを備えたことを特徴とするエレベータ装置。
【請求項２】
上記支持機構は、それぞれ一端を上記カゴレールの上下方向に離間した位置に固定されて該カゴレールから上記昇降路の壁面に沿って水平に延設された第１および第２取付腕と、上記第１および第２取付腕の延出端間に取り付けられた上下方向に伸びる取付柱とを備え、
上記制御盤は、上記取付柱に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されていることを特徴とする請求項１記載のエレベータ装置。
【請求項３】
上記支持機構は、それぞれ一端を上記カゴレールの上下方向に離間した位置に固定されて該カゴレールから上記昇降路の壁面に沿って水平に延設され、それぞれ他端を上記昇降路の壁面に固定された第１および第２取付腕を備え、
上記制御盤は、上記第１および第２取付腕の他端に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されていることを特徴とする請求項１記載のエレベータ装置。
【請求項４】
上記支持機構は、一端を上記昇降路の壁面側に位置させて該壁面と直交方向に延びるように上記昇降路の天井に固定された取付金を備え、
上記制御盤は、一端の他側を上記取付金の他端に軸心方向を水平方向とする軸周りに回動可能に取り付けられ、両端の一側を上記昇降路の壁面に向けて上記昇降路の天井に沿うように位置する上記通常位置と、上記昇降路の天井と略直交して両端の一側を上記昇降路の内部に突出するように位置する上記保守点検位置とをとるように構成されていることを特徴とする請求項１記載のエレベータ装置。
【請求項５】
上記取付金の一端に軸心方向を水平方向とする軸回りに回動可能に取り付けられた返し車と、釣り合いオモリと、上記返し車に掛け渡され、一端が上記制御盤の一端の一側に連結され、他端が上記釣合いオモリに連結されたワイヤとを有する上記制御盤の駆動機構部を備えていることを特徴とする請求項４記載のエレベータ装置。
【請求項６】
上記支持機構は、それぞれ上下方向に延び、かつ、互いに相対して平行となるように上記昇降路の壁面に固定された一対の取付金を備え、
上記制御盤は、両端の一側を上記一対の取付金の下端に軸心方向を水平方向とする軸周りに回動可能に取り付けられ、両端の他側を上方に向けて上記昇降路の壁面に沿うように位置する上記通常位置と、上記昇降路の壁面と略直交して両端の他側を上記昇降路の内部に突出するように位置する上記保守点検位置とをとるように構成されていることを特徴とする請求項１記載のエレベータ装置。
【請求項７】
上記一対の取付金の上方位置に長さ方向を水平として上記昇降路の壁面に取り付けられた滑車軸と、上記滑車軸の両端に固着された一対のワイヤ巻き取り滑車と、上記一対のワイヤ巻き取り滑車に巻きつけられ、先端がそれぞれ上記制御盤の両端の他側に連結されたワイヤと、上記昇降路の壁面に隣接する他の壁面に取り付けられたハンドルと、上記ハンドルの回転トルクを上記滑車軸に伝達する無端状のボールチェーンとを有する上記制御盤の駆動機構部を備えたことを特徴とする請求項６記載のエレベータ装置。
【請求項８】
上記支持機構は、それぞれ一端を上記カゴレールの上下方向に離間した位置に固定されて該カゴレールから上記昇降路の壁面に沿って水平に延設された第１および第２取付腕を備え、
上記制御盤は、上記第１および第２取付腕に、該第１および第２取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成されていることを特徴とする請求項１記載のエレベータ装置。
【請求項９】
伸縮自在に構成されたスライドレールが、その伸縮方向を上記第１および第２取付腕の延設方向に一致させて第１および第２取付腕のそれぞれに取り付けられ、上記制御盤が、上記スライドレールに取り付けられていることを特徴とする請求項８記載のエレベータ装置。
【請求項１０】
レールが上記第１取付腕に取り付けられ、当て板が上記第２取付腕に取り付けられ、ハンガーローラを有するハンガープレートが上記制御盤の一端に取り付けられ、ガイドプレートが上記制御盤の他端に取り付けられ、上記制御盤が、上記ガイドプレートを上記第２取付腕と上記当て板との隙間に挿入し、上記ハンガーローラを上記レールに掛けて上記第１取付腕に吊設されていることを特徴とする請求項８記載のエレベータ装置。
【請求項１１】
上記支持機構は、一端を上記カゴレールに固定されて該カゴレールから上記昇降路の壁面に沿って水平に延設された取付腕と、それぞれ一端を上記取付腕と上下方向に離間して上記カゴレールに固定されて該カゴレールから上記昇降路の壁面に沿って水平に延設され、それぞれ当て板が取り付けられた上および下支持腕と、上記取付腕の上記カゴレール側に下方に延出するように取り付けられたハンドル取付金と、一端を上記取付腕の反カゴレール側に軸心方向を水平方向とする軸周りに回動可能に取り付けられた一対のリンクとを備え、上記制御盤は、両端に取り付けられガイドプレートを上記上および下支持腕と上記当て板との間の隙間にそれぞれ挿入し、裏面上端側に上記一対のリンクの他端を軸心方向を水平方向とする軸周りに回動可能に取り付けられて、上記取付腕に、該取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成され、
さらに、上記制御盤の裏面に軸心方向を水平方向とする軸周りに回動可能に取り付けられ、ナットが固着されたナット取付金と、上記ハンドル取付金の下端に３次元的に揺動自在に取り付けられた首振りナットと、上記ナットおよび首振りナットに螺合するネジ棒と、上記ネジ棒の上記首振りナットからの延出端に固着されたハンドルとからなる上記制御盤の駆動機構部を備えていることを特徴とする請求項１記載のエレベータ装置。
【請求項１２】
上記制御盤が上記通常位置に位置していることを検知する位置検出スイッチを備え、上記制御盤が上記通常位置から移動しているときには、エレベータの運転モードが保守点検モードに切り換えられるように構成されていることを特徴とする請求項１乃至請求項１１のいずれか１項に記載のエレベータ装置。
【発明の詳細な説明】
【０００１】
【発明の属する技術分野】
この発明は、エレベータ装置に関するもので、特に、昇降路内に制御盤を設置したエレベータ装置に関するものである。
【０００２】
【従来の技術】
従来のエレベータ装置においては、機械室が昇降路の上部に設置され、巻上機や制御盤等がその機械室内に設置されていた。そこで、機械室の設置スペースを昇降路の上部に確保する必要があり、建物の利用効率が低下するとともに、建物の高さが高くなってしまう、という不具合があった。
この不具合を解消するために、かごおよび釣り合いオモリからなる昇降体の昇降領域と昇降路の壁面との隙間に巻上機や制御盤等を設置し、機械室を省略したエレベータ装置が提案されている。
【０００３】
この種のエレベータ装置においては、かごおよび釣り合いオモリからなる昇降体、昇降体を昇降駆動するための巻上機、返し車、調速機、巻上ロープおよび綱止め梁、さらには各種の電気スイッチ器具等が昇降路内に設置されていること、および、制御盤は昇降体の昇降動作に影響を及ばない場所に設置しなければならいことから、制御盤の設置スペースは極めて限られたものとなる。
【０００４】
【発明が解決しようとする課題】
この従来の機械室を省略したエレベータ装置では、以上述べたように、制御盤が昇降路内の極めて限られたスペースに設置されているので、保守点検時に、かごの天井上部に登った作業者と制御盤とが離れすぎていたり、制御盤が作業者から見えにくい角度となっていたりして、保守点検作業性が著しく低下してしまうという課題があった。
【０００５】
この発明は、上記の課題を解消するためになされたもので、制御盤を昇降体の昇降領域から外れた通常位置とかごの天井上部に登った作業者に面する保守点検位置との間を移動可能に昇降路内に設置し、保守点検作業性を向上できるエレベータ装置を提供するものである。
【０００６】
【課題を解決するための手段】
この発明に係るエレベータ装置は、昇降路の壁面に沿って上下方向に延設されたカゴレールに案内されて昇降自在に配設されたかごと、上記昇降路内に設けられている支持機構と、上記かごの昇降と干渉しない通常位置と保守点検時に上記かごの天井上部に登った作業者に面する保守点検位置との間を移動可能に上記支持機構に支持され、エレベータの運転を制御する制御盤とを備えたものである。
【０００７】
また、上記支持機構は、それぞれ一端を上記カゴレールの上下方向に離間した位置に固定されて該カゴレールから上記昇降路の壁面に沿って水平に延設された第１および第２取付腕と、上記第１および第２取付腕の延出端間に取り付けられた上下方向に伸びる取付柱とを備え、上記制御盤は、上記取付柱に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されているものである。
【０００８】
また、上記支持機構は、それぞれ一端を上記カゴレールの上下方向に離間した位置に固定されて該カゴレールから上記昇降路の壁面に沿って水平に延設され、それぞれ他端を上記昇降路の壁面に固定された第１および第２取付腕を備え、上記制御盤は、上記第１および第２取付腕の他端に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されているものである。
【０００９】
また、上記支持機構は、一端を上記昇降路の壁面側に位置させて該壁面と直交方向に延びるように上記昇降路の天井に固定された取付金を備え、上記制御盤は、一端の他側を上記取付金の他端に軸心方向を水平方向とする軸周りに回動可能に取り付けられ、両端の一側を上記昇降路の壁面に向けて上記昇降路の天井に沿うように位置する上記通常位置と、上記昇降路の天井と略直交して両端の一側を上記昇降路の内部に突出するように位置する上記保守点検位置とをとるように構成されているものである。
【００１０】
また、上記取付金の一端に軸心方向を水平方向とする軸回りに回動可能に取り付けられた返し車と、釣り合いオモリと、上記返し車に掛け渡され、一端が上記制御盤の一端の一側に連結され、他端が上記釣合いオモリに連結されたワイヤとを有する上記制御盤の駆動機構部を備えているものである。
【００１１】
また、上記支持機構は、それぞれ上下方向に延び、かつ、互いに相対して平行となるように上記昇降路の壁面に固定された一対の取付金を備え、上記制御盤は、両端の一側を上記一対の取付金の下端に軸心方向を水平方向とする軸周りに回動可能に取り付けられ、両端の他側を上方に向けて上記昇降路の壁面に沿うように位置する上記通常位置と、上記昇降路の壁面と略直交して両端の他側を上記昇降路の内部に突出するように位置する上記保守点検位置とをとるように構成されているものである。
【００１２】
また、上記一対の取付金の上方位置に長さ方向を水平として上記昇降路の壁面に取り付けられた滑車軸と、上記滑車軸の両端に固着された一対のワイヤ巻き取り滑車と、上記一対のワイヤ巻き取り滑車に巻きつけられ、先端がそれぞれ上記制御盤の両端の他側に連結されたワイヤと、上記昇降路の壁面に隣接する他の壁面に取り付けられたハンドルと、上記ハンドルの回転トルクを上記滑車軸に伝達する無端状のボールチェーンとを有する上記制御盤の駆動機構部を備えたものである。
【００１３】
また、上記支持機構は、それぞれ一端を上記カゴレールの上下方向に離間した位置に固定されて該カゴレールから上記昇降路の壁面に沿って水平に延設された第１および第２取付腕を備え、上記制御盤は、上記第１および第２取付腕に、該第１および第２取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成されているものである。
【００１４】
また、伸縮自在に構成されたスライドレールが、その伸縮方向を上記第１および第２取付腕の延設方向に一致させて第１および第２取付腕のそれぞれに取り付けられ、上記制御盤が、上記スライドレールに取り付けられているものである。
【００１５】
また、レールが上記第１取付腕に取り付けられ、当て板が上記第２取付腕に取り付けられ、ハンガーローラを有するハンガープレートが上記制御盤の一端に取り付けられ、ガイドプレートが上記制御盤の他端に取り付けられ、上記制御盤が、上記ガイドプレートを上記第２取付腕と上記当て板との隙間に挿入し、上記ハンガーローラを上記レールに掛けて上記第１取付腕に吊設されているものである。
【００１６】
また、上記支持機構は、一端を上記カゴレールに固定されて該カゴレールから上記昇降路の壁面に沿って水平に延設された取付腕と、それぞれ一端を上記取付腕と上下方向に離間して上記カゴレールに固定されて該カゴレールから上記昇降路の壁面に沿って水平に延設され、それぞれ当て板が取り付けられた上および下支持腕と、上記取付腕の上記カゴレール側に下方に延出するように取り付けられたハンドル取付金と、一端を上記取付腕の反カゴレール側に軸心方向を水平方向とする軸周りに回動可能に取り付けられた一対のリンクとを備え、上記制御盤は、両端に取り付けられガイドプレートを上記上および下支持腕と上記当て板との間の隙間にそれぞれ挿入し、裏面上端側に上記一対のリンクの他端を軸心方向を水平方向とする軸周りに回動可能に取り付けられて、上記取付腕に、該取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成され、さらに、上記制御盤の裏面に軸心方向を水平方向とする軸周りに回動可能に取り付けられ、ナットが固着されたナット取付金と、上記ハンドル取付金の下端に３次元的に揺動自在に取り付けられた首振りナットと、上記ナットおよび首振りナットに螺合するネジ棒と、上記ネジ棒の上記首振りナットからの延出端に固着されたハンドルとからなる上記制御盤の駆動機構部を備えているものである。
【００１７】
また、上記制御盤が上記通常位置に位置していることを検知する位置検出スイッチを備え、上記制御盤が上記通常位置から移動しているときには、エレベータの運転モードが保守点検モードに切り換えられるように構成されているものである。
【００１８】
【発明の実施の形態】
以下、この発明の実施の形態を図について説明する。
実施の形態１．
図１はこの発明の実施の形態１に係るエレベータ装置における制御盤の構成を説明する斜視図、図２はこの発明の実施の形態１に係るエレベータ装置における通常位置に位置する制御盤周りを示す斜視図、図３はこの発明の実施の形態１に係るエレベータ装置における保守点検位置に位置する制御盤周りを示す斜視図である。
【００１９】
図１において、制御盤２０は、エレベータ装置の運転を制御する電気機器類２２が収納された箱形の制御盤本体２１と、制御盤本体２１にヒンジ２３を介して回動可能に取り付けられた蓋２４とから構成されている。そして、蓋２４は、制御盤本体２１に設けられた止め金具２５につまみネジ２６を締着して制御盤本体２１を閉じた状態に保持される。また、取付金２７が制御盤本体２１の上下端面から上下に延設されている。
【００２０】
図２および図３において、カゴレール３は、昇降路２内に上下方向に延設されている。かご１は、カゴレール３に案内されて昇降路２内に上下方向に昇降自在に配設されている。返し梁４は、レールクリップ１９ａおよびボルト１９ｂによりカゴレール３に固定されて、昇降路２の上部側に取り付けられている。そして、返し梁４に取り付けられた返し車５に掛けられた巻き上げロープ６が、巻き上げ機（図示せず）により走行駆動されて、かご１および釣り合いオモリ（図示せず）を昇降するようになっている。また、調速機ロープ８を備えた調速機７が返し梁４に取り付けられている。
【００２１】
かご１の天井上部１ａには、安全手摺り９がかご枠上梁１０にヒンジ１１を介して回動可能に取り付けられている。そして、保守点検時には、この安全手摺り９は、ヒンジ１１周りに回動されてかご１の天井上部１ａから起立され、固定リンク１２で互いに連結されて、作業者の保守点検作業スペースを構成する。また、通常時には、安全手摺り９は、固定リンク１２による連結が解除され、ヒンジ１１周りに回動されてかご１の天井上部１ａに重ねられて収納されている。
【００２２】
平板状の第１および第２取付腕１３Ａ、１３Ｂは、それぞれの一端をレールクリップ１９ａおよびボルト１９ｂによりカゴレール３に固定され、上下方向（カゴレール３の延設方向）に所定距離離れて、カゴレール３から水平方向に延設されている。また、上下方向に延びる補強柱１４が、両端を第１および第２取付腕１３Ａ、１３Ｂの各中央部に固定されて、第１および第２取付腕１３Ａ、１３Ｂ間に架設されている。さらに、上下方向に延びる取付柱１５が、両端を第１および第２取付腕１３Ａ、１３Ｂに固定されて、第１および第２取付腕１３Ａ、１３Ｂの他端間に架設されて、制御盤２０の支持機構を構成している。
取付板１６は、平板状の取付片１６ｂが断面Ｌ字状の基部１６ａの１辺両端からそれぞれ延設されたコ字状に作製されている。そして、取付金２７が取付ボルト１７を用いて取付片１６ｂに締着固定されて、制御盤２０が取付板１６に取り付けられている。この取付板１６の基部１６ａがヒンジ１８を介して取付柱１５に連結されている。そこで、取付板１６（制御盤２０）は、ヒンジ１８の軸１８ａ周りに回動可能に取付柱１５に取り付けられている。なお、この軸１８ａの軸心方向は上下方向に一致している。
【００２３】
ストッパ３０は、それぞれ切り欠き３１ａが一端に設けられ、他端を取付板１６の基部１６ａにピン３１ｂ周りに回動可能に取り付けられた一対の固定リンク３１と、両端をピン３２ａ周りに回動可能に一対の固定リンク３１の一端側に取り付けられた継ぎ金３２とから構成されている。このストッパ３０は、継ぎ金３２を持って、固定リンク３１を図２中ピン３１ｂ周りに時計回りに水平位置まで回動させ、切り欠き３１ａを取付柱１５に取り付けられた固定ボルト３３に嵌着させた後、固定ボルト３３を締着することで、制御盤２０を図２に示される通常位置に固定している。また、固定ボルト３３の締着を緩め、継ぎ金３２を持って、固定リンク３１を図２中ピン３１ｂ周りに反時計回りに基部１６ａ側に位置するまで回動させることで、制御盤２０を軸１８ａ周りに回動可能な状態とする。
【００２４】
位置検出スイッチ３４は、制御盤２０が通常位置に位置していることを検出するもので、固定ボルト３３に近接して取付柱１５に取り付けられ、制御盤２０内の電気機器類２２に電気的に接続されている。そして、この位置検出スイッチ３４は、そのスイッチ接触棒３４ａが切り欠き３１ａが固定ボルト３３に嵌着されている状態の固定リンク３１に押圧されて、制御盤２０が通常位置に位置していることを検知するようになっている。
下方に位置する取付片１６ｂには、保守時固定用の鎖２８が取り付けられ、また下方に位置する第２取付腕１３Ｂには、鎖２８のフック２８ａが係止される係止溝１３ａが設けられている。
【００２５】
このように構成されたエレベータ装置では、制御盤２０は、取付柱１５にヒンジ１８の軸１８ａ周りに回動可能に取り付けられ、通常位置と保守点検位置との間を移動可能になっている。
通常時には、制御盤２０は、図２に示されるように、固定リンク３１が切り欠き３１ａを固定ボルト３３に嵌着された状態で固定ボルト３３により締着固定されて、第１および第２取付腕１３Ａ、１３Ｂの延出方向の外側に壁面２ａに沿うように位置し、かご１の昇降と干渉しない通常位置に固定されている。この時、固定リンク３１が、スイッチ接触棒３４ａを押圧し、位置検出スイッチ３４は、制御盤２０が通常位置に位置していることを検知している。そして、位置検出スイッチ３４の通常位置検出信号が電気機器類２２に入力され、エレベータ装置が運転モードとなる。なお、通常位置においては、制御盤２０は、かご１のみならず、かご１の昇降動作に同期して昇降する釣合いオモリなどの昇降体と干渉しない。
【００２６】
また、保守点検時には、作業者は、かご１を制御盤２０の下部に停止させ、かご１の天井上部１ａに登り、安全手摺り９をヒンジ１１周りに回動して起立させ、固定リンク１２で互いに連結して、保守点検作業スペースを構成する。ついで、固定ボルト３３の締着を緩め、継ぎ金３２を持って、固定リンク３１を図２中ピン３１ｂ周りに反時計回りに回動し、固定リンク３１を基部１６ａ側に移動する。これにより、固定リンク３１によるスイッチ接触棒３４ａの押圧が解除され、位置検出スイッチ３４は、制御盤２０が通常位置に位置していないことを検知する。そして、位置検出スイッチ３４の非通常位置検出信号が電気機器類２２に入力され、エレベータ装置が運転モードから保守点検モードに切り換えられる。ついで、作業者は、かご１の天井上部１ａから制御盤２０をヒンジ１８の軸１８ａ周りに回動させてかご１の上部側に引き寄せる。そして、鎖２８のフック２８ａを第２取付腕１３Ｂの係止溝１３ａに係止させ、制御盤２０が、図３に示されるように、第１および第２取付腕１３Ａ、１３Ｂの延出方向と略直交して昇降路２の内部に突出する保守点検位置に固定される。これにより、制御盤２０は、表面（蓋２４）が作業者に面するように位置する。
【００２７】
ついで、作業者は、つまみネジ２６の締着を緩めて蓋２４を開け、制御盤本体２１内の電気機器類２２の保守点検を行う。点検終了後、蓋２６を閉め、つまみネジ２６を止め金２５に締着する。そして、鎖２８のフック２８ａを第２取付腕１３Ｂの係止溝１３ａから外し、制御盤２０をヒンジ１８の軸１８ａ周りに通常位置まで回動させる。さらに、継ぎ金３２を持って、固定リンク３１をピン３１ｂ周りに水平位置まで回動させ、切り欠き３１ａを固定ボルト３３に嵌着させた後、固定ボルト３３を締着する。これにより、制御盤２０は、図２に示される通常位置に固定される。そして、固定リンク３１がスイッチ接触棒３４ａを押圧し、位置検出スイッチ３４の通常位置検出信号が電気機器類２２に入力されて、エレベータ装置が保守点検モードから運転モードに切り換えられる。
ついで、固定リンク１２による安全手摺り９の連結を解除し、安全手摺り９をヒンジ１１周りに回動してかご１の天井上部１ａに重ね、保守点検作業が終了する。
【００２８】
この実施の形態１では、制御盤２０が昇降路２内に配設されているので、機械室を省略することができ、建物の高さを低くすることができる。
また、通常時には、制御盤２０がかご１の昇降と干渉しない通常位置に位置しているので、エレベータ装置の運転モード時におけるかご１と制御盤２０との衝突が回避される。
また、保守点検時に、制御盤２０を通常位置からかご１の上部側に引き寄せることができるので、制御盤２０がかご１の天井上部１ａに登った作業者に近接し、かつ、面して、作業者の手が届き、かつ、作業者が制御盤本体２１内を見やすくなり、保守点検作業が容易にできる。
また、第１および第２取付腕１３Ａ、１３Ｂが昇降路２内に高強度かつ高位置精度に取り付けられているカゴレール３に固定されているので、制御盤２０を強固に、精度よく設置することができる。
また、制御盤２０が通常位置に位置していることを検出する位置検出スイッチ３４を設け、制御盤２０が通常位置から移動しているときに、エレベータ装置が運転モードから保守点検モードに切り換えられるようにしているので、保守点検作業時には、かご１の昇降用電源が遮断され、かご１の昇降運転が不能となり、作業安全性が確保される。
【００２９】
実施の形態２．
図４はこの発明の実施の形態２に係るエレベータ装置における通常位置に位置する制御盤周りを示す斜視図、図５はこの発明の実施の形態２に係るエレベータ装置における保守点検位置に位置する制御盤周りを示す斜視図である。
【００３０】
図４および図５において、制御盤２０の支持機構としての第１および第２取付腕４０Ａ、４０Ｂは、折り曲げ片４０ｂが平板状の主部４０ａの他端に形成されている。そして、第１および第２取付腕４０Ａ、４０Ｂが、それぞれの一端をレールクリップ１９ａおよびボルト１９ｂによりカゴレール３に固定され、上下方向に所定距離離れて、カゴレール３から水平方向に延設されている。この時、折り曲げ片４０ｂが水平になっている。また、上下方向に延びる補強柱１４が、両端を第１および第２取付腕４０Ａ、４０Ｂの主部４０ａに固定されて、第１および第２取付腕４０Ａ、４０Ｂ間に架設されている。
取付板４１は、断面Ｌ字状の基部４２と、折り曲げ片４３ｂが平板状の主部４３ａの一端に形成された第１取付片４３と、断面Ｌ字状の第２取付片４４とを有し、第１取付片４３がその折り曲げ片４３ｂを基部４２の他辺側に延出させて、主部４３ａを基部４２の一辺の一端側に溶接あるいはボルト等により固着され、第２取付片４４がその一端側を基部４２から延出させ、その他辺４４ｂに基部４２の他端面を当接させ、さらにその一辺４４ａを基部４２の一辺の他端側に溶接あるいはボルト等により固着され、全体としてコ字状に作製されている。
【００３１】
そして、各取付金２７が取付ボルト１７を用いて第１取付片４３の主部４３ａと第２取付片４４の一辺４４ａに締着固定されて、制御盤２０が取付板４１に取り付けられている。
この第１取付片４３の折り曲げ片４３ｂが段付きボルトピン４５により第１取付腕４０Ａの折り曲げ片４０ｂに回動可能に取り付けられ、第２取付片４４の他辺４４ｂが段付きボルトピン４５により第２取付腕４０Ｂの折り曲げ片４０ｂに回動可能に取り付けられている。そして、第２取付片４４の他辺４４ｂが固定ボルト４６により第２取付腕４０Ｂの折り曲げ片４０ｂに締着固定されている。そこで、取付板４１（制御盤２０）は、段付きボルトピン４５周りに回動可能に第１および第２取付腕４０Ａ、４Ｂの他端に取り付けられている。そして、段付きボルトピン４５の軸心方向は上下方向に一致している。
なお、他の構成は上記実施の形態１と同様に構成されている。
【００３２】
このように構成されたエレベータ装置では、制御盤２０は、第１および第２取付腕４０Ａ、４０Ｂの他端に段付きボルトピン４５周りに回動可能に取り付けられ、下記の通り、通常位置と保守点検位置との間を移動可能になっている。
【００３３】
通常時には、制御盤２０は、図４に示されるように、第２取付片４４の他辺４４ｂが固定ボルト４６により第２取付腕４０Ｂの折り曲げ片４０ｂに締着固定されて、第１および第２取付腕４０Ａ、４０Ｂの延出方向の外方で、壁面２ａに沿って位置し、かご１の昇降と干渉しない通常位置に固定されている。この時、第２取付片４４が、スイッチ接触棒３４ａを押圧し、位置検出スイッチ３４は、制御盤２０が通常位置に位置していることを検知し、エレベータ装置が運転モードとなっている。
【００３４】
また、保守点検時には、作業者は、かご１を制御盤２０の下部に停止させ、かご１の天井上部１ａに登り、安全手摺り９をヒンジ１１周りに回動して起立させ、固定リンク１２で互いに連結して、保守点検作業スペースを構成する。ついで固定ボルト４６を取り外し、かご１の天井上部１ａから制御盤２０を段付きボルトピン４５周りに回動させてかご１の上部側に引き寄せる。そして、鎖２８のフック２８ａを第２取付腕４０Ｂの折り曲げ片４０ｂに形成された係止穴４０ｃに係止させる。これにより、制御盤２０が、図５に示されるように、第１および第２取付腕４０Ａ、４０Ｂの延出方向と略直交して昇降路２の内部に突出する保守点検位置に固定される。これにより、制御盤２０は、表面（蓋２４）が作業者に面するように位置する。
この制御盤２０の回動動作により、第２取付片４４によるスイッチ接触棒３４ａの押圧が解除され、位置検出スイッチ３４は、制御盤２０が通常位置から移動したことを検知する。そして、位置検出スイッチ３４の非通常位置検出信号が電気機器類２２に入力され、エレベータ装置が運転モードから保守点検モードに切り換えられる。
【００３５】
従って、この実施の形態２においても、上記実施の形態１と同様の効果が得られる。
【００３６】
実施の形態３．
図６はこの発明の実施の形態３に係るエレベータ装置における通常位置に位置する制御盤周りを示す斜視図、図７はこの発明の実施の形態３に係るエレベータ装置における保守点検位置に位置する制御盤周りを示す斜視図である。
【００３７】
図６および図７において、制御盤２０の支持機構としての第１および第２取付金５０Ａ、５０Ｂは、それぞれ断面Ｌ字状を有し、昇降路２の天井２ｂに、その一端を天井２ａの１辺（側面２ａ）に近接させて天井２ｂの１辺に直交するように、かつ、そのＬ字状の１辺を相対するように平行に並べられ、そのＬ字状の他辺をアンカーボルト５１により天井２ｂに締着固定されて、取り付けられている。そして、返し車５２が第１および第２取付金５０Ａ、５０ＢのＬ字状の１辺の一端側に水平軸周りに回動可能に取り付けられている。
取付腕５３が、制御盤２０の制御盤本体２１の両端から一側に延設されている。この制御盤２０は、第１および第２取付金５０Ａ、５０ＢのＬ字状の１辺の他端に、制御盤本体２１の両端面の他側をピン５４（水平軸）周りに回動可能に取り付けられている。そして、ワイヤ５５が、一端を取付腕５３の延出端に連結し、返し車５２に掛け渡され、その他端を釣り合いオモリ５６に連結されて、制御盤２０の駆動機構部を構成している。
【００３８】
このように構成されたエレベータ装置では、制御盤２０は、天井２ｂに取り付けられた第１および第２取付金５０Ａ、５０Ｂにピン５４（水平軸）周りに回動可能に取り付けられ、下記の通り、通常位置と保守点検位置との間を移動可能になっている。
【００３９】
通常時には、制御盤２０は、釣り合いオモリ５６の自重により、ピン５４周りに図６中時計回りに回動され、制御盤本体２１の背面を天井２ｂに向けて、保持されている。この時、制御盤２０は、図６に示されるように、天井２ｂの中央部と天井２ｂの１辺との間の領域に、天井２ｂの面に沿うように配置され、かご１の昇降と干渉しない通常位置に位置している。
【００４０】
また、保守点検時には、作業者は、かご１を天井２ｂに近接して停止させ、かご１の天井上部１ａに登り、安全手摺り４を組み立てる。そこで、釣り合いオモリ５６を上方に押し上げる。これにより、制御盤２０は、ピン５４周りに図６中反時計回りに回動し、取付腕５３が下方に向く。そして、一方の取付腕５３を返し梁４に仮止めボルト５７で固定する。そこで、制御盤２０は、図７に示されるように、かご１の上部側に引き寄せられ、表面（蓋２４）が作業者に面する保守点検位置に固定される。その後、作業者は、制御盤２０の蓋２４を開いて保守点検作業を行う。
また、保守点検が終了すると、仮止めボルト５７を取り外し、釣り合いオモリ５６を押し下げて、制御盤２０を通常位置に戻すことになる。
【００４１】
従って、この実施の形態３においても、上記実施の形態１と同様の効果が得られる。
また、この実施の形態３では、制御盤２０を天井２ｂの中央部より１辺側の空きスペースに配置することができ、スペースの有効利用ができる。
【００４２】
なお、上記実施の形態３において、制御盤２０が通常位置に位置している状態で、保持ボルトを用いて、釣り合いオモリ５６を昇降路２の側壁２ａに固定するようにしてもよい。この場合、制御盤２０が通常位置に固定されるので、かご１の運転モード時に、制御盤２０が保守点検位置側に移動してかご１と衝突するようなことが未然に防止される。
また、上記実施の形態３では、制御盤２０が通常位置に位置していることを検出する位置検出スイッチ３４について説明していないが、位置検出スイッチ３４が配設されていることは、いうまでもないことである。
また、上記実施の形態３では、支持機構として第１および第２取付金５０Ａ、５０Ｂを用いるものとしているが、第１および第２取付金５０Ａ、５０Ｂの一方を用いて制御盤２０を支持するようにしてもよい。
【００４３】
実施の形態４．
図８はこの発明の実施の形態４に係るエレベータ装置における通常位置に位置する制御盤周りを示す斜視図、図９はこの発明の実施の形態４に係るエレベータ装置における保守点検位置に位置する制御盤周りを示す斜視図である。
【００４４】
図８および図９において、制御盤２０の支持機構としての第１および第２取付金５０Ａ、５０Ｂは、昇降路２の側壁２ａに、長さ方向を上下上方に一致させて、そのＬ字状の１辺を相対するように平行に並べられ、そのＬ字状の他辺をアンカーボルト５１により側壁２ａに締着固定されて、取り付けられている。そして、一対の滑車取付金５８が、水平方向に相対して、それぞれ第１および第２取付金５０Ａ、５０Ｂの上方に位置するように側壁２ａに固定されている。ワイヤ巻き取り滑車５９が一対の滑車取付金５８に軸支された滑車軸６０の両端に固着され、ボールチェーン用滑車６１が滑車軸６０の一端に固着されている。
駆動装置６２が、滑車軸６０が取り付けられている側壁２ａに隣接する側壁２ａ’の中央部に取り付けられている。そして、無端状のボールチェーン６３が駆動装置６２のボールチェーン用滑車６２ａと滑車軸６０の一端に固着されたボールチェーン用滑車６１とに掛け渡されている。また、駆動装置６２は、ボールチェーン用滑車６２ａを駆動する手巻きハンドル６４を備えている。
【００４５】
制御盤２０は、各取付腕５３の延出端を第１および第２取付金５０Ａ、５０ＢのＬ字状の１辺の下端にピン６５（水平軸）周りに回動可能に取り付けられている。そして、各ワイヤ巻き取り滑車５９に巻き取られたワイヤ５５の端部が、制御盤２０の制御盤本体２１の両端面の他側に連結されている。また、位置検出スイッチ３４が、一方の滑車取付金５８に取り付けられている。
なお、ワイヤ５５、ワイヤ巻き取り滑車５９、滑車軸６０、ボールチェーン用滑車６１、６２ａ、ボールチェーン６３、手巻きハンドル６４などから制御盤２０の駆動機構部が構成されている。
【００４６】
このように構成されたエレベータ装置では、制御盤２０は、側壁２ａに取り付けられた第１および第２取付金５０Ａ、５０Ｂにピン６５（水平軸）周りに回動可能に取り付けられ、下記の通り、通常位置と保守点検位置との間を移動可能になっている。
【００４７】
通常時には、手巻きハンドル６４を回転操作することにより、ボールチェーン用滑車６２ａが回転駆動される。このボールチェーン用滑車６２ａの回転トルクがボールチェーン６３を介してボールチェーン用滑車６１に伝達され、滑車軸６０が回転駆動される。この滑車軸６０の回転により、ワイヤ巻き取り滑車５９が回転し、ワイヤ５５がワイヤ巻き取り滑車５９に巻き取られる。これにより、制御盤２０がピン６５周りに回動し、図８に示されるように、制御盤２０の蓋２４が側壁２ａに面する通常位置に位置する。そして、制御盤２０は、側壁２ａの面に沿って配置され、かご１の昇降と干渉しない。この時、位置検出スイッチ３４のスイッチ接触棒３４ａが、制御盤本体２１に設けられた押し板６６に押圧され、制御盤２０が通常位置に位置していることが検知され、エレベータ装置は運転モードとなる。
【００４８】
そして、保守点検時には、作業者Ａは、かご１を制御盤２０の下方に近接して停止させ、かご１の天井上部１ａに登り、安全手摺り４を組み立てる。そこで、手巻きハンドル６４を逆回転させる。これにより、滑車軸６０が逆回転し、ワイヤ５５が各ワイヤ巻き取り滑車５９から繰り出される。そして、制御盤２０が、ピン６５周りに図８中時計回りに回動し、壁面２ａと略直交して昇降路２の内部に突出し、略水平な状態となる。この時、制御盤３０が僅かに回動すると、押し板６６がスイッチ接触棒３４ａから外れ、エレベータ装置は運転モードから保守モードに切り換えられる。そして、制御盤２０は、図９に示されるように、かご１の上部側に引き寄せられ、表面（蓋２４）が作業者Ａに面する保守点検位置に位置する。そこで、作業者Ａは、制御盤２０の蓋２４を開いて保守点検作業を行う。
また、保守点検が終了すると、手巻きハンドル６４を回転操作して、ワイヤ５５をワイヤ巻き取り滑車５９に巻き取り、制御盤２０を通常位置に戻すことになる。
【００４９】
従って、この実施の形態４においても、上記実施の形態１と同様の効果が得られる。
また、この実施の形態４では、保守点検時、制御盤２０が蓋２４を上面とする水平状態で、しかもかご１の上部側に引き寄せられた保守点検位置に位置しているので、保守点検作業がし易くなるとともに、楽な作業姿勢をとることができ、作業効率が向上する。
【００５０】
なお、上記実施の形態４において、制御盤２０を通常位置および保守点検位置に固定する手段を備えていることはいうまでもないことである。
また、駆動機構６２を昇降路２の側壁２ａ’の乗り場開口部近傍に設けるようにしてもよい。この場合、乗り場からの手巻きハンドル６４の操作が可能となる。
【００５１】
実施の形態５．
図１０はこの発明の実施の形態５に係るエレベータ装置における通常位置に位置する制御盤周りを示す正面図、図１１はこの発明の実施の形態５に係るエレベータ装置における保守点検位置に位置する制御盤周りを示す正面図である。
【００５２】
図１０および図１１において、制御盤２０の支持機構としての第１および第２取付腕７０Ａ、７０Ｂが、それぞれの一端をレールクリップ１９ａおよびボルト１９ｂによりカゴレール３に固定され、上下方向に所定距離離れて、カゴレール３から水平方向に延設されている。また、中間取付腕７１が、第１および第２取付腕７０Ａ、７０Ｂ間の位置で、一端をレールクリップ１９ａおよびボルト１９ｂによりカゴレール３に固定され、カゴレール３から水平方向に延設されている。この中間取付腕７１には、後述する取付金７４の固定用のネジ穴７１ａが設けられている。
スライドレール７２は、断面矩形枠状をなす内管７２ａが断面矩形枠状をなす外管７２ｂ内に収納され、ボールベアリング７２ｃが内管７２ａと外管７２ｂとの間に介装されて、内管７２ａが外管７２ｂに対して伸縮自在に構成されている。そして、スライドレール７２が、内管７２ａの伸縮方向を水平にして、外管７２ｂを第１および第２取付腕７０Ａ、７０Ｂのそれぞれに取り付けられている。また、腕７３が各スライドレール７２の内管７２ａ内に伸縮自在に取り付けられている。そして、内管７２ａと腕７３との間には、ボールベアリング７２ｃが介装されている。また、位置検出スイッチ３４が中間取付腕７１に取り付けられている。
【００５３】
制御盤２０の各取付金２７が取付ボルト１７を用いて各腕７３の先端部に締着固定されて、制御盤２０が腕７３およびスライドレール７２を介して取付腕７０に取り付けられている。また、取付金７４が制御盤本体２１の側面からカゴレール３側に延設されている。さらに、位置検出スイッチ３４のスイッチコロ３４ｂに係合するカム７４ａが取付金７４の延出端の下端に設けられている。
【００５４】
このように構成されたエレベータ装置では、制御盤２０は、第１および第２取付腕７０Ａ、７０Ｂにスライド自在に取り付けられ、下記の通り、通常位置と保守点検位置との間を移動可能になっている。
【００５５】
通常時には、制御盤２０は、図１０に示されるように、スライドレール７２の外管７２ｂから内管７２ａを伸長させ、かつ、腕７３を内管７２ａから伸長させて、第１および第２取付腕７０Ａ、７０Ｂの反カゴレール３側に壁面２ａに沿うように位置している。そして、取付金７４が中間取付腕７１のネジ穴７１ａに固定ボルト７５を締着して中間取付腕７１に固定されている。これにより、制御盤２０が、かご１の昇降と干渉しない通常位置に固定されている。この時、カム７４ａがスイッチコロ３４ｂを押圧し、位置検出スイッチ３４が、制御盤２０が通常位置に位置していることを検知し、エレベータ装置が運転モードとなっている。
【００５６】
また、保守点検時には、作業者は、かご１を制御盤２０の下方に近接して停止させ、かご１の天井上部１ａに登り、安全手摺り４を組み立てる。そして、固定ボルト７５を外し、制御盤２０をかご１側に引き寄せる。これにより、腕７３が内管７２ａ内に引き込まれ、内管７２ａが外管７２ｂ内に引き込まれ、制御盤２０がカゴレール３側にスライド移動する。この時、カム７４ａがスイッチコロ３４ｂから外れ、位置検出スイッチ３４は、制御盤２０が通常位置から移動していることを検知し、エレベータ装置が運転モードから保守点検モードに切り換えられる。そして、制御盤２０が、かご１の天井上部１ａに登った作業者の手の届く位置までスライド移動すると、取付金７４が中間取付腕７１のネジ穴７１ａに固定ボルト７５を締着して中間取付腕７１に固定される。これにより、制御盤２０は、図１１に示されるように、壁面２ａに沿うようにしてカゴレール２ａに接近し、表面（蓋２４）が作業者に面する保守点検位置に固定される。
【００５７】
そこで、作業者は、制御盤２０の蓋２４を開いて保守点検作業を行う。
また、保守点検が終了すると、固定ボルト７５を取り外し、制御盤２０をカゴレール３から離反する方向に押す。そして、制御盤２０は、保守点検位置から通常位置までスライド移動する。そこで、固定ボルト７５を締着して、制御盤２０を通常位置に固定する。この時、位置検出スイッチ３４が、制御盤２０が通常位置に位置していることを検知し、エレベータ装置が保守点検モードから運転モードに切り換えられる。
【００５８】
従って、この実施の形態５においても、上記実施の形態１と同様の効果が得られる。
また、制御盤２０の通常位置と保守点検位置との間の移動にスライドレール７２を用いているので、内蔵のボールベアリング７２ｃの働きにより、制御盤２０の移動力が低減され、作業負荷が軽減される。
【００５９】
実施の形態６．
図１２はこの発明の実施の形態６に係るエレベータ装置における通常位置に位置する制御盤周りを示す斜視図、図１３はこの発明の実施の形態６に係るエレベータ装置における保守点検位置に位置する制御盤周りを示す斜視図である。
【００６０】
図１２および図１３において、制御盤２０の支持機構としての平板状の第１および第２取付腕８０Ａ、８０Ｂが、それぞれの一端をレールクリップ１９ａおよびボルト１９ｂによりカゴレール３に固定され、上下方向に所定距離離れて、カゴレール３から水平方向に延設され、それぞれの他端がアンカーボルト８１により昇降路２の側壁２ａに固定されている。
レール８２が第１取付腕８０Ａに皿ネジ８３を用いて取り付けられている。また、当て板８４が第２取付腕８０Ｂに所定隙間を持つように取付ボルト８５により取り付けられている。
【００６１】
ハンガープレート８６が、制御盤２０の一方の取付金２７に取付ボルト１７により取り付けられ、ガイドプレート８７が制御盤２０の他方の取付金２７に取付ボルト１７により取り付けられている。そして、ハンガープレート８６には、レール８２上を走行する一対のハンガーローラ８８が回転自在に取り付けられ、レール８２の下端に係合してレール８２からの浮き上がりを防止する一対の浮き上がり防止用ローラ８９が回転自在に取り付けられている。
そして、制御盤２０は、ハンガーローラ８８をレール８２に掛けて吊り下げられ、ガイドプレート８７を第２取付腕８０Ｂと当て板８４との隙間に挿入して、第１取付腕８０Ａにスライド移動可能に取り付けられている。また、浮き上がり防止用ローラ８９がレール８２の下端に係合している。
【００６２】
位置検出スイッチ３４が第１取付腕８０Ａの他端上部に位置するように側壁２ａに取り付けられている。また、Ｌ字状の取付金９０が制御盤２０の一方の取付金２７のカゴレール３側に取り付けられ、Ｌ字状の取付金９１が第１取付腕８０Ａのカゴレール３側に取付られている。ネジ棒９２が取付金９０および取付金９１に固着されたナット９０ａ、９１ａに螺合して、回転自在に取り付けられている。また、モータ９３が取付金９１に取り付けられ、モータ９３の回転トルクが減速機構部９４を介してネジ棒９２に伝達されるようになっている。さらに、モータ９３のスイッチ９５が第２取付腕８０Ｂのカゴレール３側に取り付けられている。このスイッチ９５は、モータ９３の正回転モード、逆回転モードおよび停止モードを切り換えられるようになっている。
【００６３】
このように構成されたエレベータ装置では、制御盤２０は、第１取付腕８０Ａにスライド自在に取り付けられ、下記の通り、通常位置と保守点検位置との間を移動可能になっている。
【００６４】
通常時には、制御盤２０は、図１２に示されるように、レール８２上をスライド移動して第１取付腕８０Ａの反カゴレール３側に、壁面２ａに沿うように位置している。これにより、制御盤２０が、かご１の昇降と干渉しない通常位置に固定されている。この時、ハンガープレート８６に設けられたカム８６ａがスイッチ接触棒３４ａを押圧し、位置検出スイッチ３４が、制御盤２０が通常位置に位置していることを検知し、エレベータ装置が運転モードとなっている。
【００６５】
また、保守点検時には、作業者は、かご１を制御盤２０の下方に近接して停止させ、かご１の天井上部１ａに登り、安全手摺り９を組み立てる。そして、スイッチ９５を正回転モード側にＯＮし、モータ９３を回転駆動させる。モータ９３の回転トルクは減速機構部９４を介してネジ棒９２に伝達され、ネジ棒９２が回転駆動される。これにより、ネジ棒９２と取付金９０のナット９０ａとが螺合していることから、ネジ棒９２の回転力は直線運動に変換され、ハンガーローラ８８がレール８３上を走行し、制御盤２０は、図１２中右方向に移動する。この時、カム８６ａによるスイッチ接触棒３４ａの押圧が解除され、位置検出スイッチ３４が、制御盤２０が通常位置から移動したことを検知し、エレベータ装置が運転モードから保守点検モードに切り換えられる。そして、制御盤２０が、かご１の天井上部１ａに登った作業者の手の届く位置に到達すると、スイッチ９１が停止モードにされ、モータ９３の回転が停止される。これにより、制御盤２０は、かご１側に引き寄せられ、図１３に示されるように、壁面２ａに沿うようにしてカゴレール３に接近し、表面（蓋２４）が作業者に面する保守点検位置に固定される。
【００６６】
そこで、作業者は、制御盤２０の蓋２４を開いて保守点検作業を行う。
また、保守点検が終了すると、スイッチ９５を逆回転モード側にＯＮし、モータ９３を回転駆動する。これにより、制御盤２０がレール８３に案内されて、図１３中左側に移動する。そして、制御盤２０が通常位置まで到達すると、スイッチ９５が停止モードに切り換えられ、制御盤２０が図１２に示されるように通常位置に固定される。この時、カム８６ａがスイッチ接触棒３４ａを押圧し、位置検出スイッチ３４が、制御盤２０が通常位置に位置していることを検知し、エレベータ装置が保守点検モードから運転モードに切り換えられる。
【００６７】
従って、この実施の形態６においても、上記実施の形態５と同様の効果が得られる。
また、浮き上がり防止用ローラ８９がレール８２の下端に係合しているので、制御盤２０のスライド移動時に、制御盤２０の浮き上がりが阻止される。
また、制御盤２０の他方の取付金２７に取り付けられたガイドプレート８７が第２取付腕８０Ｂと当て板８４との隙間に挿入されているので、制御盤２０のスライド移動時に、制御盤２０の下端側の振れが抑制され、制御盤２０の安定したスライド移動が行われる。
【００６８】
なお、モータ９３の駆動電源は、エレベータ装置の駆動電源とは別回路となっている。
また、スイッチ９５は、制御盤２０が通常位置あるいは保守点検位置まで移動したときにモータ９３の駆動を停止するリミットスイッチで構成してもよい。
【００６９】
実施の形態７．
図１４はこの発明の実施の形態７に係るエレベータ装置における通常位置に位置する制御盤周りを示す正面図、図１５はこの発明の実施の形態７に係るエレベータ装置における保守点検位置に位置する制御盤周りを示す正面図、図１６は図１４のＸＶＩ−ＸＶＩ矢視断面図である。
【００７０】
図１４乃至図１６において、取付腕１００が、一端をレールクリップ１９ａおよびボルト１９ｂによりカゴレール３に固定され、カゴレール３から水平方向に延設されている。そして、断面Ｌ字状のハンドル取付腕１０１が取付腕１００から下方に延出するように取付ボルト１０２により取付腕１００のカゴレール３側に締着固定されている。
上および下支持腕１０３Ａ、１０３Ｂが、それぞれの一端をレールクリップ１９ａおよびボルト１９ｂによりカゴレール３に固定され、取付腕１００の上下方向に所定距離離れて、カゴレール３から水平方向に延設されている。そして、当て板１０４が上および下支持腕１０３Ａ、１０３Ｂのそれぞれに段付きボルト１０５により締着固定されている。これにより、当て板１０４と上および下支持腕１０３Ａ、１０３Ｂとの間に所定の隙間が形成されている。また、位置検出スイッチ３４が第２腕１０３Ｂの延出端に取り付けられている。
なお、取付腕１００、ハンドル取付金１０１、上および下支持腕１０３Ａ、１０３Ｂ、当て板１０４などから制御盤２０の支持機構が構成されている。
【００７１】
断面Ｊ字状の取付金１０６が制御盤本体２１の上端面に取り付けられ、平板状のガイドプレート１０７が制御盤本体２１の下端面に取り付けられている。そして、制御盤２０は、取付金１０６の長辺１０６ａ（ガイドプレート）が上支持腕１０３Ａと当て板１０４との隙間に挿入され、ガイドプレート１０７が下支持腕１０３Ｂと当て板１０４との隙間に挿入され、一対のリンク１０８がそれぞれの両端をピン１０９（水平軸）周りに取付金１０６の短辺１０６ｂと取付腕１００の反カゴレール３側とに回動可能に取り付けられて、制御盤２０が取付腕１００にスライド自在に支持されている。
また、Ｌ字状のナット取付金１１０が制御盤本体２１の裏面にピン１１１（水平軸）周りに回動可能に取り付けられている。そして、ナット１１２がナット取付金１１０の起立片を貫通するように起立片に固着されている。また、首振りナット１１３がハンドル取付腕１０１の下端に３次元的に揺動自在に取り付けられている。そして、ネジ棒１１４がナット１１２および首振りナット１１３に螺着され、ハンドル１１５が首振りナット１１３からのネジ棒１１４の延出端に固着されている。
なお、ナット取付金１１０、ナット１１２、首振りナット１１３、ネジ棒１１４、ハンドル１１５などから制御盤２０の駆動機構部が構成されている。
【００７２】
このように構成されたエレベータ装置では、制御盤２０は、取付腕１００にスライド自在に取り付けられ、下記の通り、通常位置と保守点検位置との間を移動可能になっている。
【００７３】
ここで、制御盤２０のスライド動作について説明する。
まず、ハンドル１１５を回転することで、ネジ棒１１４が回転される。この時、ネジ棒１１４とナット１１２とが螺合していることから、ネジ棒１１４の回転力は直線運動に変換され、ナット１１２がネジ棒１１４に沿って移動する。そして、ハンドル１１５の回転方向を変えることで、ナット１１２（制御盤２０）はネジ棒１１４の長手方向に往復移動する。このナット１１２の往復移動に伴い、一対のリンク１０８がピン１０９周りに回動し、制御盤２０は上下方向の位置を変えつつ、図１４に示される通常位置と図１５に示される保守点検位置との間を往復移動する。そして、制御盤２０の上下方向の位置が変動しても、ナット取付金１１０がピン１１１周りに回動し、かつ、首振りナット１１３がハンドル取付腕１０１に対して３次元的に揺動して、ネジ棒１１４とナット１１２および首振りナット１１３との螺合関係が確保される。
【００７４】
通常時には、制御盤２０は、一対のリンク１０８がピン１０９周りに図１４中反時計回りに回動し、取付腕１００の反カゴレール３側に位置している。これにより、制御盤２０が、かご１の昇降と干渉しない通常位置に固定されている。この時、制御盤本体２１の側面がスイッチ接触棒３４ａを押圧し、位置検出スイッチ３４が、制御盤２０が通常位置に位置していることを検知し、エレベータ装置が運転モードとなっている。
【００７５】
また、保守点検時には、作業者は、かご１を制御盤２０の下方に近接して停止させ、かご１の天井上部１ａに登り、安全手摺り４を組み立てる。そして、ハンドル１１５を回転させ、ネジ棒１１４を回転させ、ナット１１２をネジ棒１１４に沿って図１４中右側に移動させる。この時、制御盤本体２１によるスイッチ接触棒３４ａの押圧が解除され、位置検出スイッチ３４が、制御盤２０が通常位置から移動したことを検知し、エレベータ装置が運転モードから保守点検モードに切り換えられる。そして、このナット１１２の移動に伴い、一対のリンク１０８が図１４中ピン１０９周りに時計回りに回動し、制御盤２０がカゴレール３側の作業者の手の届く位置に移動する。これにより、制御盤２０は、かご１側に引き寄せられ、図１５に示されるように、表面（蓋２４）が作業者に面する保守点検位置に固定される。
【００７６】
そこで、作業者は、制御盤２０の蓋２４を開いて保守点検作業を行う。
また、保守点検が終了すると、ハンドル１１５を回転して、制御盤２０を通常位置に移動する。この時、制御盤本体２１がスイッチ接触棒３４ａを押圧し、位置検出スイッチ３４が、制御盤２０が通常位置に位置していることを検知し、エレベータ装置が保守点検モードから運転モードに切り換えられる。
【００７７】
従って、この実施の形態７においても、上記実施の形態５と同様の効果が得られる。
また、制御盤２０の取付金１０６の長辺１０６ａが第１腕１０３Ａと当て板１０４との隙間に挿入され、ガイドプレート１０７が第２腕１０３Ｂと当て板１０４との隙間に挿入されているので、制御盤２０のスライド移動時に、制御盤２０の上端側および下端側の振れが抑制され、制御盤２０の安定したスライド移動が行われる。
【００７８】
【発明の効果】
この発明は、以上のように構成されているので、以下に記載されているような効果を奏する。
【００７９】
この発明によれば、昇降路の壁面に沿って上下方向に延設されたカゴレールに案内されて昇降自在に配設されたかごと、上記昇降路内に設けられている支持機構と、上記かごの昇降と干渉しない通常位置と保守点検時に上記かごの天井上部に登った作業者に面する保守点検位置との間を移動可能に上記支持機構に支持され、エレベータの運転を制御する制御盤とを備えたので、保守点検作業性を向上できるエレベータ装置が得られる。
【００８０】
また、上記支持機構は、それぞれ一端を上記カゴレールの上下方向に離間した位置に固定されて該カゴレールから上記昇降路の壁面に沿って水平に延設された第１および第２取付腕と、上記第１および第２取付腕の延出端間に取り付けられた上下方向に伸びる取付柱とを備え、上記制御盤は、上記取付柱に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されているので、簡易な構成で制御盤を通常位置と保守点検位置との間をスライド移動させることができる。
【００８１】
また、上記支持機構は、それぞれ一端を上記カゴレールの上下方向に離間した位置に固定されて該カゴレールから上記昇降路の壁面に沿って水平に延設され、それぞれ他端を上記昇降路の壁面に固定された第１および第２取付腕を備え、上記制御盤は、上記第１および第２取付腕の他端に軸心方向を上下方向とする軸周りに回動可能に取り付けられ、上記第１および第２取付腕の延出方向に上記昇降路の壁面に沿うように位置する上記通常位置と、上記第１および第２取付腕の延出方向と略直交して上記昇降路の内部に突出するように位置する上記保守点検位置とをとるように構成されているので、簡易な構成で制御盤を通常位置と保守点検位置との間をスライド移動させることができる。
【００８２】
また、上記支持機構は、一端を上記昇降路の壁面側に位置させて該壁面と直交方向に延びるように上記昇降路の天井に固定された取付金を備え、上記制御盤は、一端の他側を上記取付金の他端に軸心方向を水平方向とする軸周りに回動可能に取り付けられ、両端の一側を上記昇降路の壁面に向けて上記昇降路の天井に沿うように位置する上記通常位置と、上記昇降路の天井と略直交して両端の一側を上記昇降路の内部に突出するように位置する上記保守点検位置とをとるように構成されているので、簡易な構成で制御盤を通常位置と保守点検位置との間をスライド移動させることができる。
【００８３】
また、上記取付金の一端に軸心方向を水平方向とする軸回りに回動可能に取り付けられた返し車と、釣り合いオモリと、上記返し車に掛け渡され、一端が上記制御盤の一端の一側に連結され、他端が上記釣合いオモリに連結されたワイヤとを有する上記制御盤の駆動機構部を備えているので、制御盤のスライド移動が容易となる。
【００８４】
また、上記支持機構は、それぞれ上下方向に延び、かつ、互いに相対して平行となるように上記昇降路の壁面に固定された一対の取付金を備え、上記制御盤は、両端の一側を上記一対の取付金の下端に軸心方向を水平方向とする軸周りに回動可能に取り付けられ、両端の他側を上方に向けて上記昇降路の壁面に沿うように位置する上記通常位置と、上記昇降路の壁面と略直交して両端の他側を上記昇降路の内部に突出するように位置する上記保守点検位置とをとるように構成されているので、簡易な構成で制御盤を通常位置と保守点検位置との間をスライド移動させることができる。
【００８５】
また、上記一対の取付金の上方位置に長さ方向を水平として上記昇降路の壁面に取り付けられた滑車軸と、上記滑車軸の両端に固着された一対のワイヤ巻き取り滑車と、上記一対のワイヤ巻き取り滑車に巻きつけられ、先端がそれぞれ上記制御盤の両端の他側に連結されたワイヤと、上記昇降路の壁面に隣接する他の壁面に取り付けられたハンドルと、上記ハンドルの回転トルクを上記滑車軸に伝達する無端状のボールチェーンとを有する上記制御盤の駆動機構部を備えたので、制御盤のスライド移動が容易となる。
【００８６】
また、上記支持機構は、それぞれ一端を上記カゴレールの上下方向に離間した位置に固定されて該カゴレールから上記昇降路の壁面に沿って水平に延設された第１および第２取付腕を備え、上記制御盤は、上記第１および第２取付腕に、該第１および第２取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成されているので、簡易な構成で制御盤を通常位置と保守点検位置との間をスライド移動させることができる。
【００８７】
また、伸縮自在に構成されたスライドレールが、その伸縮方向を上記第１および第２取付腕の延設方向に一致させて第１および第２取付腕のそれぞれに取り付けられ、上記制御盤が、上記スライドレールに取り付けられているので、制御盤のスライド移動が容易となる。
【００８８】
また、レールが上記第１取付腕に取り付けられ、当て板が上記第２取付腕に取り付けられ、ハンガーローラを有するハンガープレートが上記制御盤の一端に取り付けられ、ガイドプレートが上記制御盤の他端に取り付けられ、上記制御盤が、上記ガイドプレートを上記第２取付腕と上記当て板との隙間に挿入し、上記ハンガーローラを上記レールに掛けて上記第１取付腕に吊設されているので、制御盤のスライド移動が容易となる。
【００８９】
また、上記支持機構は、一端を上記カゴレールに固定されて該カゴレールから上記昇降路の壁面に沿って水平に延設された取付腕と、それぞれ一端を上記取付腕と上下方向に離間して上記カゴレールに固定されて該カゴレールから上記昇降路の壁面に沿って水平に延設され、それぞれ当て板が取り付けられた上および下支持腕と、上記取付腕の上記カゴレール側に下方に延出するように取り付けられたハンドル取付金と、一端を上記取付腕の反カゴレール側に軸心方向を水平方向とする軸周りに回動可能に取り付けられた一対のリンクとを備え、
上記制御盤は、両端に取り付けられガイドプレートを上記上および下支持腕と上記当て板との間の隙間にそれぞれ挿入し、裏面上端側に上記一対のリンクの他端を軸心方向を水平方向とする軸周りに回動可能に取り付けられて、上記取付腕に、該取付腕の延設方向にスライド移動可能に取り付けられ、上記カゴレールから離反して上記昇降路の壁面に沿うように位置する上記通常位置と、上記カゴレールに接近して上記昇降路の壁面に沿うように位置する上記保守点検位置とをとるように構成され、さらに、上記制御盤の裏面に軸心方向を水平方向とする軸周りに回動可能に取り付けられ、ナットが固着されたナット取付金と、上記ハンドル取付金の下端に３次元的に揺動自在に取り付けられた首振りナットと、上記ナットおよび首振りナットに螺合するネジ棒と、上記ネジ棒の上記首振りナットからの延出端に固着されたハンドルとからなる上記制御盤の駆動機構部を備えているので、簡易な構成で制御盤を通常位置と保守点検位置との間をスライド移動させることができる。
【００９０】
また、上記制御盤が上記通常位置に位置していることを検知する位置検出スイッチを備え、上記制御盤が上記通常位置から移動しているときには、エレベータの運転モードが保守点検モードに切り換えられるように構成されているので、保守点検作業時に、かごが昇降することがなく、保守点検作業性の安全性が工場される。
【図面の簡単な説明】
【図１】この発明の実施の形態１に係るエレベータ装置における制御盤の構成を説明する斜視図である。
【図２】この発明の実施の形態１に係るエレベータ装置における通常位置に位置する制御盤周りを示す斜視図である。
【図３】この発明の実施の形態１に係るエレベータ装置における保守点検位置に位置する制御盤周りを示す斜視図である。
【図４】この発明の実施の形態２に係るエレベータ装置における通常位置に位置する制御盤周りを示す斜視図である。
【図５】この発明の実施の形態２に係るエレベータ装置における保守点検位置に位置する制御盤周りを示す斜視図である。
【図６】この発明の実施の形態３に係るエレベータ装置における通常位置に位置する制御盤周りを示す斜視図である。
【図７】この発明の実施の形態３に係るエレベータ装置における保守点検位置に位置する制御盤周りを示す斜視図である。
【図８】この発明の実施の形態４に係るエレベータ装置における通常位置に位置する制御盤周りを示す斜視図である。
【図９】この発明の実施の形態４に係るエレベータ装置における保守点検位置に位置する制御盤周りを示す斜視図である。
【図１０】この発明の実施の形態５に係るエレベータ装置における通常位置に位置する制御盤周りを示す正面図である。
【図１１】この発明の実施の形態５に係るエレベータ装置における保守点検位置に位置する制御盤周りを示す正面図である。
【図１２】この発明の実施の形態６に係るエレベータ装置における通常位置に位置する制御盤周りを示す斜視図である。
【図１３】この発明の実施の形態６に係るエレベータ装置における保守点検位置に位置する制御盤周りを示す斜視図である。
【図１４】この発明の実施の形態７に係るエレベータ装置における通常位置に位置する制御盤周りを示す正面図である。
【図１５】この発明の実施の形態７に係るエレベータ装置における保守点検位置に位置する制御盤周りを示す正面図である。
【図１６】図１４のＸＶＩ−ＸＶＩ矢視断面図である。
【符号の説明】
１　かご、１ａ　天井上部、２　昇降路、２ａ　側壁、２ｂ　天井、１３Ａ　第１取付腕、１３Ｂ　第２取付腕、１５　取付柱、１８　ヒンジ、２０　制御盤、３４　位置検出スイッチ、４０Ａ　第１取付腕、４０Ｂ　第２取付腕、４５　段付きボルトピン、５０Ａ　第１取付金、５０Ｂ　第２取付金、５２　返し車（起動機構部）、５４　ピン、５５　ワイヤ（駆動機構部）、５６　釣り合いオモリ（駆動機構部）、５９　ワイヤ巻き取り滑車（駆動機構部）、６０　滑車軸（駆動機構部）、６１、６２ａ　ボールチェーン用滑車（駆動機構部）、６３　ボールチェーン（駆動機構部）、６４　手巻きハンドル（駆動機構部）、７０Ａ　第１取付腕、７０Ｂ　第２取付腕、７２　スライドレール、８０Ａ　第１取付腕、８０Ｂ　第２取付腕、８２　レール、８４　当て板、８６　ハンガープレート、８７　ガイドプレート、８８　ハンガーローラ、１００　取付腕、１０１　ハンドル取付金、１０３Ａ　上支持腕、１０３Ｂ　下支持腕、１０４　当て板、１０６　取付金、１０６ａ　長辺（ガイドプレート）、１０７　ガイドプレート、１０８　リンク、１０９　ピン、１１０　ナット取付金、１１２　ナット、１１３　首振りナット、１１４　ネジ棒、１１５　ハンドル。
【図１】
2004091059.tif 000003
【図２】
2004091059.tif 000004
【図３】
2004091059.tif 000005
【図４】
2004091059.tif 000006
【図５】
2004091059.tif 000007
【図６】
2004091059.tif 000008
【図７】
2004091059.tif 000009
【図８】
2004091059.tif 000010
【図９】
2004091059.tif 000011
【図１０】
2004091059.tif 000012
【図１１】
2004091059.tif 000013
【図１２】
2004091059.tif 000014
【図１３】
2004091059.tif 000015
【図１４】
2004091059.tif 000016
【図１５】
2004091059.tif 000017
【図１６】
2004091059.tif 000018